(57)【要約】【課題】  誤って落下させる等のケースに衝撃が加わった場合でも、テープカセットを確実に保護する。【解決手段】  テープカセット６０を収納する周壁１８，１９，２０，２１を有する収納部１１と、閉蓋時に収納部１１の外側を囲む外壁２６，２７，２８を有する蓋部１２と、収納部１１及び蓋部１２を開閉可能にヒンジ連結された連結板１３と、蓋部１２の外面に形成された係合部と、収納部１１の一部にヒンジ連結され、回動に伴い係合部に係止されるサイドロック部１４とを備えたテープカセット収納ケース１０であって、収納部１１の外周で外側に延出して形成された収納部側バンパー部３２と、蓋部１２の外周で外側に延出して形成された蓋部側バンパー部３７とを備え、収納部側バンパー部３２が、蓋部側バンパー部３７よりも延出による突出量が長く設定した。【選択図】  図１
2006016016.tif 000002
【特許請求の範囲】
【請求項１】
テープカセットを収納する周壁を有する収納部と、閉蓋時に前記収納部の外側を囲む外壁を有する蓋部と、前記収納部及び前記蓋部を開閉可能にヒンジ連結された連結板と、前記蓋部の外面に形成された係合部と、前記収納部の一部にヒンジ連結され、回動に伴い前記係合部に係止されるサイドロック部とを備えたテープカセット収納ケースであって、
前記収納部の外周で外側に延出して形成された収納部側バンパー部と、
前記蓋部の外周で外側に延出して形成された蓋部側バンパー部とを備え、
前記収納部側バンパー部と前記蓋部側バンパー部のうち、いずれか一方が他方よりも前記延出による突出量が長く設定されていることを特徴とするテープカセット収納ケース。
【請求項２】
テープカセットを収納する周壁を有する収納部と、閉蓋時に前記収納部の外側を囲む外壁を有する蓋部と、前記収納部及び前記蓋部を開閉可能にヒンジ連結された連結板と、前記蓋部の外面に形成された係合部と、前記収納部の一部にヒンジ連結され、回動に伴い前記係合部に係止されるサイドロック部とを備えたテープカセット収納ケースであって、
前記収納部の外周で外側に延出して形成された収納部側バンパー部と、
前記蓋部の外周で外側に延出して形成された蓋部側バンパー部とを備え、
前記収納部側バンパー部と前記蓋部側バンパー部のうち、いずれか一方が他方よりもバンパー部の厚みが薄く設定されていることを特徴とするテープカセット収納ケース。
【請求項３】
テープカセットを収納する周壁を有する収納部と、閉蓋時に前記収納部の外側を囲む外壁を有する蓋部と、前記収納部及び前記蓋部を開閉可能にヒンジ連結された連結板と、前記蓋部の外面に形成された係合部と、前記収納部の一部にヒンジ連結され、回動に伴い前記係合部に係止されるサイドロック部とを備えたテープカセット収納ケースであって、
前記収納部の外周で外側に延出して形成された収納部側バンパー部と、
前記蓋部の外周で外側に延出して形成された蓋部側バンパー部とを備え、
前記収納部側バンパー部と前記蓋部側バンパー部のうち、いずれか一方が他方よりも前記延出による突出量が長く設定され、
前記収納部側バンパー部と前記蓋部側バンパー部のうち、いずれか一方が他方よりもバンパー部の厚みが薄く設定されていることを特徴とするテープカセット収納ケース。
【請求項４】
閉蓋時における前記収納部側バンパー部における前記蓋部の外壁の先端と対峙する内側面に、ケース中央に向かうに従い前記収納部側バンパー部の厚み方向外側に傾斜するテーパ面を形成したことを特徴とする請求項１〜請求項３のいずれか１項記載のテープカセット収納ケース。
【請求項５】
前記収納部の周壁のうち前記連結板とは反対側に配されたの周壁の両端角部近傍の外側面に形成された２つの第１係合部と、前記蓋部の外壁のうち前記連結板とは反対側に配された外壁の両端角部近傍の内周面に形成された２つの係合突部とを備え、
前記サイドロック部が前記蓋部に係止された状態でテープカセット収納ケースに衝撃が負荷されたときに、この衝撃が加わった側の第１係合部と係合突部とのロックが外れることを特徴とする請求項１〜請求項４のいずれか１項記載のテープカセット収納ケース。
【請求項６】
前記収納部の周壁のうち前記連結板とは反対側に配されたの周壁の両端角部近傍の外側面に形成された２つの第１係合部と、前記蓋部の外壁のうち前記連結板とは反対側に配された外壁の両端角部近傍の内周面に形成された２つの係合突部とを備え、
前記収納部の第１係合部と、前記蓋部の係合突部との閉蓋時における係合代が、前記蓋部の外壁の先端と前記収納部側バンパー部のテーパ面との間の閉蓋時における前記収納部の底板に沿った距離より短く設定されていることを特徴とする請求項４記載のテープカセット収納ケース。
【発明の詳細な説明】
【技術分野】
【０００１】
本発明は、本発明はテープカセット収納ケースに関し、特に、内部に収納したテープカセットを落下等の衝撃から確実に保護する技術に関する。
【背景技術】
【０００２】
テープカセットの保管時に用いられるハードケースには、使用者が誤ってケースを落下させても、内部に収納されているテープカセットを保護する耐衝撃性が要求される。耐衝撃性の向上には、衝撃エネルギーの吸収もしくは衝撃エネルギーに耐えられるテープカセット及びケースを用いることが必要である。しかし、テープカセット構造の強度向上には設計上の制約があるため、テープカセットの構造を変えることなく、ケース自体が衝撃エネルギーを吸収してカセットを保護するのが望ましい。
従来のテープカセット収納ケースとしては、収納部と、蓋部と、ヒンジ連接部と、サイドロック部からなるテープカセット収納ケースが知られている（例えば、特許文献１参照）。
【０００３】
図１８に従来のテープカセット収納ケースの外観斜視図、図１９に図１８のテープカセット収納ケースにおけるサイドロック部分の縦断面図を示した。
図１８及び図１９に示すように、特許文献１に開示されたテープカセット収納ケース１００は、ハードタイプのケースであって、四つの側壁１０２を有する収納部１０１と、三つの側壁１０４を有する蓋部１０３と、収納部１０１の底板及び蓋部１０３の天面板１０５とを接続し、蓋部１０３を閉じた状態で蓋部１０３の一側壁になるヒンジ連接部１０６からなる。
【０００４】
テープカセット収納ケース１００には、収納部１０１においてヒンジ連接部１０６とは反対の正面側に、サイドロック部１０７がヒンジ連結されている。サイドロック部１０７は、収納部１０１の側壁１０２の外側に蓋部１０３の側壁１０４が重ね合わされて閉じられた際に、蓋部１０３の側壁１０４の外表面に形成された係合部１０８に係止されてロックされる。
【特許文献１】特開２００２−１７９１７６号公報
【発明の開示】
【発明が解決しようとする課題】
【０００５】
ところが、上記特許文献１では、使用者が誤ってケースを落下させたり、搬送中に壁等に衝突させてしまったりした場合に、その際の衝撃エネルギーがテープカセットに直接伝わってテープカセットを損傷させる虞があった。
【０００６】
本発明は、このような事情に鑑みてなされたものであり、その目的は、誤って落下させる等のケースに衝撃が加わった場合でも、テープカセットを確実に保護することができるテープカセット収納ケースを提供することにある。
【課題を解決するための手段】
【０００７】
上記目的は下記構成のテープカセット収納ケースにより達成される。
（１）  テープカセットを収納する周壁を有する収納部と、閉蓋時に前記収納部の外側を囲む外壁を有する蓋部と、前記収納部及び前記蓋部を開閉可能にヒンジ連結された連結板と、前記蓋部の外面に形成された係合部と、前記収納部の一部にヒンジ連結され、回動に伴い前記係合部に係止されるサイドロック部とを備えたテープカセット収納ケースであって、前記収納部の外周で外側に延出して形成された収納部側バンパー部と、前記蓋部の外周で外側に延出して形成された蓋部側バンパー部とを備え、前記収納部側バンパー部と前記蓋部側バンパー部のうち、いずれか一方が他方よりも前記延出による突出量が長く設定されていることを特徴とするテープカセット収納ケース。
【０００８】
このテープカセット収納ケースによれば、蓋部が収納部に閉じられる閉蓋時に、使用者が誤って床等の相手部材に落下させてしまった場合に、例えば収納部側のバンパー部が蓋側のバンパー部よりも突出量が長い場合に、収納部側のバンパー部が、蓋部のバンパー部よりも先に相手部材に衝突して衝撃を受けることにより、収納部の周壁が蓋部の外壁から外れるように傾動されて、蓋部が一部開くこととなる。従って、使用者が誤ってテープカセット収納ケースを落下させる等しても、サイドロック部のロックは外さずに、収納部のバンパー部がその際の衝撃エネルギーを受けて傾動し、蓋部を収納部から外すことにより、衝撃エネルギーをテープカセットに直接与えないようになる。もって、テープカセットを確実に保護することができる。
【０００９】
（２）  テープカセットを収納する周壁を有する収納部と、閉蓋時に前記収納部の外側を囲む外壁を有する蓋部と、前記収納部及び前記蓋部を開閉可能にヒンジ連結された連結板と、前記蓋部の外面に形成された係合部と、前記収納部の一部にヒンジ連結され、回動に伴い前記係合部に係止されるサイドロック部とを備えたテープカセット収納ケースであって、前記収納部の外周で外側に延出して形成された収納部側バンパー部と、前記蓋部の外周で外側に延出して形成された蓋部側バンパー部とを備え、前記収納部側バンパー部と前記蓋部側バンパー部のうち、いずれか一方が他方よりもバンパー部の厚みが薄く設定されていることを特徴とするテープカセット収納ケース。
【００１０】
このテープカセット収納ケースによれば、蓋部が収納部に閉じられる閉蓋時に、使用者が誤って床等の相手部材に落下させてしまった場合に、例えば収納部側のバンパー部が蓋部側のバンパー部より薄く設定されている場合に、収納部側のバンパー部が、蓋部のバンパー部よりも剛性が低いために先に変形、つまり、収納部の周壁が蓋部の外壁から外れるように傾動し、蓋部が一部開くこととなる。従って、使用者が誤ってテープカセット収納ケースを落下させる等しても、サイドロック部のロックは外さずに、収納部のバンパー部がその際の衝撃エネルギーを受けて傾動し、蓋部を収納部から外すことにより、衝撃エネルギーをテープカセットに直接与えないようになる。もって、テープカセットを確実に保護することができる。
【００１１】
（３）  テープカセットを収納する周壁を有する収納部と、閉蓋時に前記収納部の外側を囲む外壁を有する蓋部と、前記収納部及び前記蓋部を開閉可能にヒンジ連結された連結板と、前記蓋部の外面に形成された係合部と、前記収納部の一部にヒンジ連結され、回動に伴い前記係合部に係止されるサイドロック部とを備えたテープカセット収納ケースであって、前記収納部の外周で外側に延出して形成された収納部側バンパー部と、前記蓋部の外周で外側に延出して形成された蓋部側バンパー部とを備え、前記収納部側バンパー部と前記蓋部側バンパー部のうち、いずれか一方が他方よりも前記延出による突出量が長く設定され、前記収納部側バンパー部と前記蓋部側バンパー部のうち、いずれか一方が他方よりもバンパー部の厚みが薄く設定されていることを特徴とするテープカセット収納ケース。
【００１２】
このテープカセット収納ケースによれば、蓋部が収納部に閉じられる閉蓋時に、使用者が誤って床等の相手部材に落下させてしまった場合に、例えば収納部側のバンパー部が蓋部側のバンパー部より突出量が長く、且つバンパー部の厚みが薄く設定されている場合に、収納部側のバンパー部が、蓋部のバンパー部よりも先に相手部材に衝突して衝撃を受け、しかも蓋部のバンパー部よりも剛性が低いために、収納部の周壁が蓋部の外壁から外れるように傾動されて、蓋部が一部開くこととなる。従って、使用者が誤ってテープカセット収納ケースを落下させる等しても、サイドロック部のロックは外さずに、収納部のバンパー部がその際の衝撃エネルギーを受けて傾動し、蓋部を収納部から外すことにより、衝撃エネルギーをテープカセットに直接与えないようになる。もって、テープカセットを確実に保護することができる。
【００１３】
（４）  閉蓋時における前記収納部側バンパー部における前記蓋部の外壁の先端と対峙する内側面に、ケース中央に向かうに従い前記収納部側バンパー部の厚み方向外側に傾斜するテーパ面を形成したことを特徴とする（１）〜（３）のいずれか１項記載のテープカセット収納ケース。
【００１４】
このテープカセット収納ケースによれば、蓋部が収納部に閉じられる閉蓋時に、使用者が誤って床等の相手部材に落下させてしまった場合に、収納部側バンパー部が、蓋部の外壁の先端と対峙するテーパ面に沿って、摺動することで、収納部の周壁が蓋部の外壁から外れるように傾動されて、蓋部が一部開くこととなる。従って、使用者が誤ってテープカセット収納ケースを落下させる等しても、サイドロック部のロックは外さずに、収納部のバンパー部がその際の衝撃エネルギーを受けて傾動し、蓋部を収納部から外すことにより、衝撃エネルギーをテープカセットに直接与えないようになる。もって、テープカセットを確実に保護することができる。
【００１５】
（５）  前記収納部の周壁のうち前記連結板とは反対側に配されたの周壁の両端角部近傍の外側面に形成された２つの第１係合部と、前記蓋部の外壁のうち前記連結板とは反対側に配された外壁の両端角部近傍の内周面に形成された２つの係合突部とを備え、前記サイドロック部が前記蓋部に係止された状態でテープカセット収納ケースに衝撃が負荷されたときに、この衝撃が加わった側の第１係合部と係合突部とのロックが外れることを特徴とする（１）〜（４）のいずれか１項記載のテープカセット収納ケース。
【００１６】
このテープカセット収納ケースによれば、サイドロック部が蓋部に係止された状態でテープカセット収納ケースに衝撃が負荷されたときに、この衝撃が加わった側の第１係合部と係合突部とのロックが外れて、衝撃エネルギーをテープカセットに直接与えずに、テープカセットを確実に保護することができる。
【００１７】
（６）  前記収納部の周壁のうち前記連結板とは反対側に配されたの周壁の両端角部近傍の外側面に形成された２つの第１係合部と、前記蓋部の外壁のうち前記連結板とは反対側に配された外壁の両端角部近傍の内周面に形成された２つの係合突部とを備え、前記収納部の第１係合部と、前記蓋部の係合突部との閉蓋時における係合代が、前記蓋部の外壁の先端と前記収納部側バンパー部のテーパ面との間の閉蓋時における前記収納部の底板に沿った距離より短く設定されていることを特徴とする（４）記載のテープカセット収納ケース。
【００１８】
このテープカセット収納ケースによれば、収納部の第１係合部と、蓋部の係合突部との閉蓋時における係合代が、蓋部の外壁の先端と収納部側バンパー部のテーパ面との間の閉蓋時における収納部の底板に沿った距離より短く設定されていることにより、テープカセット収納ケースに衝撃が加わった場合に、第１係合部と係合突部との係合を解除して、蓋部が収納部から開きやすくなる。
【発明の効果】
【００１９】
本発明のテープカセット収納ケースによれば、テープカセット収納ケースに衝撃が加わっても、衝撃エネルギーを効率よく吸収して、収納されたテープカセットに直接加わるこことを防止することで、テープカセットを確実に保護することができる。これにより、使用者が誤ってケースを落下させたり、搬送中に壁等に衝突させてしまったりした場合にも、テープカセットを良好に保護することができる。
【発明を実施するための最良の形態】
【００２０】
以下、本発明に係るテープカセット収納ケースの好適な実施の形態について、図面を参照して詳細に説明する。
（第１実施形態）
図１は本発明に係るテープカセット収納ケースの第１実施形態を示す開蓋状態の外観斜視図である。また、図２は図１に示すテープカセット収納ケースの平面図で、図３は図１に示すテープカセット収納ケースの閉蓋状態における角部近傍（後述の第１係合部２５と係合突部２９を含む）の断面図である。
【００２１】
図１に示すように、本発明の第１実施形態であるテープカセット収納ケース１０は、収納部１１と、蓋部１２と、収納部１１及び蓋部１２にヒンジ連結された連結板１３と、収納部１１にヒンジ連結されたサイドロック部１４とが一体成形により構成されている。テープカセット収納ケース１０は、例えばポリプロピレン（ＰＰ）等の高分子樹脂を素材としている。
【００２２】
収納部１１には、底板１５の外縁部に、周囲の四方を囲んで配された周壁１６，１７，１８，１９が底板１５上に直立して形成されている。周壁１６は収納部１１の前面側に配され、周壁１７は収納部１１の背面側に配され、周壁１８，１９は収納部１１の左・右面側に配されている。周壁１６，１７，１８，１９の中央部には、高さが低くなるように切除された切欠２０，２１，２２，２３がそれぞれ形成されている。
【００２３】
収納部１１には、底板１５の中央部に、一対のリール係止リブ２４，２４が形成されている。リール係止リブ２４，２４は、筒の軸方向にスリットを有する円筒形状に形成されており、テープカセット６０が有する巻取ハブ（不図示）を挿入することにより、テープカセット６０を周壁１６，１７，１８，１９の内側に位置決めする。
【００２４】
収納部１１には、周壁１６の前面の側部に、一対の第１係合部２５，２５が形成されている。第１係合部２５，２５には、蓋部１２が閉じられる際に、蓋部１２に有する外壁２６，２７，２８のうちの連結板１３とは反対側の外壁２６の内側に形成された一対の係合突部２９，２９が係止される。
【００２５】
収納部１１には、前面の周壁１６と、側面の周壁１８，１９とが形成する角部３０，３１を含み、これら周壁１６，１８，１９の外側に板形状に延出されたバンパー部３２が形成されている。
【００２６】
蓋部１２には、天板３６の外縁部に周囲の３方を囲んで配された外壁２６，２７，２８が天板３６に直立して形成されている。外壁２６は、蓋部１２が収納部１１に閉じられた際に収納部１１の前面に対応して配され、外壁２７，２８は、同様にして収納部１１の左面側及び右面側に対応して配されている。
【００２７】
蓋部１２には、外壁２６の外面の中央部に第２係合部（図２参照）３４が形成されており、外壁２６，２７，２８の外側に板形状に延出されたバンパー部３７が形成されている。
【００２８】
連結板１３は、収納部１１と蓋部１２との端部の間に、湾曲された板形状に形成されており、長さ方向の両端部に配置されたヒンジ部３９，４０によってヒンジ連結されている。一方のヒンジ部３９は、収納部１１の底板１５の端部に繋がれており、他方のヒンジ部４０は、蓋部１２の天板３６の端部に繋がれている。
【００２９】
サイドロック部１４は、台形形状の板状に形成されており、収納部１１の前面の周壁１６における中央部の下端部から、ヒンジ部４１を介してヒンジ連結されている。サイドロック部１４の上面には、第２係止部３５が形成されている。サイドロック部１４は、蓋部１２が収納部１１に対して閉じられることにより、第１係合部２５，２５に係合突部２９，２９がそれぞれ係止された仮ロックの後に、ヒンジ部４０を介して図１中の上方に向けて回動されることにより、第２係止部３５が、蓋部１２の第２係合部３４に係止ロックされて、所謂、ダブルロック機能をなす。
【００３０】
図２に示すように、蓋部１２には、外壁２６の外面に第２係合部３４が形成されている。また、収納部１１の周壁１６の外面に形成された第１係合部２５，２５は、周壁１６の外側に向けて突出して形成されており、これとは異なり、蓋部１２の外壁２６の内面に形成された係合突部２９，２９は、外壁２６の内側に向けて突出して形成されている。それにより、連結板１３を介して蓋部１２が収納部１１に閉じられることで、蓋部１２の外壁２６，２７，２８が収納部１１の周壁１６，１８，１９の外側に配置されて周壁１６，１８，１９を囲い、互いに対向配置される蓋部１２の係合突部２９，２９が収納部１１の第１係合部２５，２５に係止される。
【００３１】
図３に示すように、蓋部１２が収納部１１に閉じられると、収納部１１の第１係合部２５，２５が蓋部１２の係合突部２９，２９にそれぞれ係止される。そして、サイドロック部１４の第２係止部３５が蓋部１２の外壁２６の第２係合部３４に係止されてロック状態にされる。この閉蓋状態で、収納部１１のバンパー部３２は、蓋部１２の外壁２６からの突出量が、長さＬ１にされており、この長さＬ１は、蓋部１２のバンパー部３７の外壁２６からの突出量の長さＬ２よりも長く設定されている（Ｌ１＞Ｌ２）。
【００３２】
図４にテープカセット収納ケース１０を床５１に落下させてしまった場合の様子を強調して示した説明図、図５に落下したテープカセット収納ケースの着地側角部の拡大図を示した。
図４，５に示すように、テープカセット収納ケース１０の落下等の際に、収納部１１のバンパー部３２が、蓋部１２のバンパー部３７よりも先に床５１に衝突して衝撃を受けることにより、収納部１１の周壁１６が、蓋部１２の外壁２６の係合突部２９から第１係合部２５を外すように傾動する。このため、仮に使用者が誤って落下させてしまったとしても、収納部１１のバンパー部３２がその際の衝撃エネルギーを受けて、衝突側に形成された第１係合部２５が係合突部２９から積極的に外れるようになる。これにより、衝撃エネルギーが分散され、発生する衝撃エネルギーをテープカセット６０に直接与えないようにでき、もって、テープカセット６０を確実に保護することができる。
【００３３】
ここで、本テープカセット収納ケース１０のバンパー部について説明する。
図６は図２のＡ−Ａ断面図で、図７は図２のＢ−Ｂ断面図である。
図６に示すように、収納部１１のバンパー部３２では、周壁１９に沿って蓋部１２の外壁２８の厚さに相当する空間４３を空けて、凸条４４が周壁１９と平行に設けられている。蓋部１２が閉じられた際には、蓋部１２の外壁２８の先端が空間４３に嵌挿されて蓋部１２とバンパー部３２とが密着して接合されるようになっている。また、凸条４４の外側に延出して、底板１５の肉厚よりも薄い薄肉部４５が所定幅で設けられており、薄肉部４５の先端部は閉蓋時に対向する蓋部１２のバンパー部３７に向けて屈曲されている。収納部１１には、バンパー部３２が、３辺の周壁１６，１８，１９の外側に、上述した構成と同様にしてそれぞれ形成されている。
【００３４】
図７に示すように、蓋部１２の外壁２８は、蓋部１２が閉じられた際に、収納部１１の周壁１９の外側を覆い、先端が収納部１１の凸条４４と周壁１９との間の空間４３に収まるようになっている。蓋部１２のバンパー部３７では、外壁２８の外側に延出して、天板３６の肉厚よりも薄い薄肉部４６が所定幅で設けられており、薄肉部４６の先端部は、閉蓋時に対向する収納部１１のバンパー部３２に向けて屈曲されている。蓋部１２には、バンパー部３７が、３辺の外壁２６，２７，２８の外側に、上述した構成と同様にしてそれぞれ形成されている。
【００３５】
＜第２実施形態＞
次に、本発明に係るテープカセット収納ケースの第２実施形態について説明する。なお、以降の説明では、第１実施形態と同一又は同等部分については、同一の符号を付し、説明を省略或いは簡略化する。
図８にテープカセット収納ケースの第２実施形態における角部近傍の断面図を示した。
本実施形態のテープカセット収納ケースは、収納部１１のバンパー部３２と蓋部１２のバンパー部３７に対し、蓋部１２の外壁２６からの突出量を異ならせる代わりに、収納部１１側のバンパー部３２の剛性を、蓋部１２側のバンパー部３７の剛性より積極的に弱くしている。つまり、収納部１１側のバンパー部３２の厚みｔ１を蓋部１２側のバンパー部３７の厚みｔ２より薄くしている（ｔ１＜ｔ２）。
【００３６】
この構成によれば、テープカセット収納ケース１０の落下等の際に、収納部１１側のバンパー部３２が、蓋部１２側のバンパー部３７よりも剛性が低いために多く変形し、その結果、衝突側に形成された係合突部２９から第１係合部２５が外れるようになる。これにより、第１実施形態と同様に、衝突時の衝撃エネルギーが分散され、発生する衝撃エネルギーをテープカセット６０に直接与えないようにでき、もって、テープカセット６０を確実に保護することができる。
【００３７】
＜第３実施形態＞
次に、本発明に係るテープカセット収納ケースの第３実施形態について説明する。
図９にテープカセット収納ケースの第３実施形態における角部近傍の断面図を示した。
本実施形態のテープカセット収納ケースは、閉蓋状態において、収納部１１側のバンパー部３２の外壁２６からの突出量を長さＬ１を、蓋部１２側のバンパー部３７の外壁２６からの突出量の長さＬ２より長くし（Ｌ１＞Ｌ２）、且つ、収納部１１側のバンパー部３２の厚みｔ１を蓋部１２側のバンパー部３７の厚みｔ２より薄くしている（ｔ１＜ｔ２）。
【００３８】
この構成によれば、テープカセット収納ケース１０の落下等の際に、収納部１１側のバンパー部３２が、蓋部１２側のバンパー部３７よりも先に衝突して衝撃を受けることになり、さらに、収納部１１側のバンパー部３２が、蓋部１２側のバンパー部３７よりも剛性が低いために多く変形し、その結果、衝突側に形成された係合突部２９から第１係合部２５が外れる効果が相乗的に向上する。これにより、衝突時の衝撃エネルギーが確実に分散されて、テープカセット６０を確実に保護することができる。
【００３９】
ここで、上述の第１〜第３実施形態の変形例を説明する。
図１０にテープカセット収納ケースの第１変形例における閉蓋状態の角部近傍（第１係止部と係合突部を含む）の断面図（ａ）と、落下したテープカセット収納ケースの着地側角部の断面図（ｂ）を示した。
この第１変形例においては、図１０（ａ）に示すように、蓋部１２のバンパー部３７の突出量Ｌ２が収容部１１側のバンパー部３２の突出量Ｌ１より長く設定されている。これにより図１０（ｂ）に示すように、蓋部１２側のバンパー部３７が変形してケース外側に開くようになる。従って、この構成によっても、図４に示すように、テープカセット収納ケースの落下時に蓋部１１の着地側角部が開いて、衝撃を効率よく吸収するようになる。
【００４０】
次に、第１係合部２５と係合突部２９の係合状態を逆にした第２変形例を説明する。
図１１にテープカセット収納ケースの第２変形例における閉蓋状態の角部近傍（第１係止部と係合突部を含む）の断面図を示した。
本変形例のように、閉蓋時において、蓋部１２の外壁２６の外側に収容部１１の周壁１６を配置させる構成としてもよい。この場合には、蓋部１２側のバンパー部３７が収容部１１側のバンパー部３２よりも先に変形して、第１係合部２５と係合突部２９とのロックが外れるようになる。
以上のように、バンパー部３２、３７の延出による突出量は、いずれか一方が他方に対して長く設定されていればよく、また、バンパー部３２、３７の厚みは、いずれか一方が他方に対して薄く設定されていればよい。
なお、上記各変形例は第３実施形態の構成を基本形態として図示しているが、第１、第２実施形態の構成を基本形態としてもよい。
【００４１】
＜第４実施形態＞
次に、本発明に係るテープカセット収納ケースの第４実施形態について説明する。
図１２にテープカセット収納ケースの第４実施形態における角部近傍の断面図（ａ）とそのＰ部拡大図（ｂ）、図１３に図１２に示すテープカセット収納ケースの衝撃吸収の動作を時系列で（ａ）、（ｂ）、（ｃ）で表す説明図を示した。
本実施形態のテープカセット収納ケースは、図１２（ａ）に示すように、閉蓋時に第１係合部２５と係合突部２９が係止され、収納部１１側のバンパー部３２の外壁２６からの突出量の長さＬ１は、蓋部１２側のバンパー部３７の突出量の長さＬ２より長くされている。そして、図１２（ｂ）に示すように、収納部１１側のバンパー部３２に、閉蓋状態において蓋部１２の外壁２６の先端に対峙する位置に、ケース中央に向かうに従いバンパー部３２の厚み方向外側に傾斜するテーパ面３２ａを形成している。また、外壁２６の先端にもテーパ面３２ａに対峙して略平行となるテーパ面２９ｂを形成している。ここで、第１係合部２５の係合側端点２５ａと係合突部２９の係合側端部２９ａとのかみ合い代となる距離Ｃ１は、バンパー部３２のテーパ面３２ａと外壁２６の先端に形成されたテーパ面２９ｂとの間の底板１５に沿った距離Ｃ２に対して、Ｃ１＜Ｃ２となるように設定される。
【００４２】
上記構成とすることで、テープカセット収納ケース１０の落下等の際に、収納部１１側のバンパー部３２が、蓋部１２側のバンパー部３７よりも先に衝突して衝撃を受けて、図中上方へ押されるようになる。すると、図１３（ａ）に示すように、バンパー部３２のテーパ面３２ａと外壁２６の先端に形成されたテーパ面２９ｂとが当接してＣ２＝０となる。このときに、Ｃ２よりも短いかみ合い代であった第１係合部２５の係合側端点２５ａと係合突部２９の係合側端部２９ａとは、係合によるロックが解除されることになる。
【００４３】
さらに、収納部１１側のバンパー部３２が図中上方へ押されると、図１３（ｂ）に示すように、収納部１１側のバンパー部３２が、外壁２６の先端のテーパ面２９ｂに沿って、ケースの厚み方向外側に押し広げられ、ついには、図１３（ｃ）に示すように、収納部１１が蓋部１２から外れるようになる。これにより、前述の図４に示す状態となる。
【００４４】
このように、本構成によれば、テープカセット収納ケース１０の落下等の際に、収納部１１側のバンパー部３２が、蓋部１２のバンパー部３７よりも先に床５１に衝突し、衝撃を受け、テーパ面２９ｂ，３２ａ間の距離がなくなると、蓋部１２の外壁２６の係合突部２９から第１係合部２５が外れ、さらに収納部１１側のバンパー部３２が図中上方に押されると、テーパ面２９ｂ，３２ａに沿ってケースの厚み方向外側に滑りながら移動し、収納部１１が蓋部１２から離れ、衝突した側の角部が半開蓋状態となる。
【００４５】
このため、仮に使用者がテープカセット収納ケース１０を誤って落下させても、収納部１１のバンパー部３２がその際の衝撃エネルギーを受けて、衝突側に形成された第１係合部２５が係合突部２９から積極的に外れるようになる。これにより、衝撃エネルギーが分散され、発生する衝撃エネルギーをテープカセット６０に直接与えないようにでき、もって、テープカセット６０を確実に保護することができる。
【００４６】
なお、上記のようにＬ１とＬ２との関係がＬ１＞Ｌ２である構成に限らず、第２、第３実施形態に示すように、ｔ１＜ｔ２である構成や、Ｌ１＞Ｌ２且つｔ１＜ｔ２である構成としてもよい。また、蓋部１２の外壁２６の先端形状は、テーパ面２９ｂとする以外にも、収納部１１側のバンパー部３２に形成されたテーパ面３２ａに円滑な摺接が可能な形状であればいかなる形状であってもよい。
【００４７】
次に、図１４〜図１７を参照して、収納部１１のバンパー部３２と、蓋部１２のバンパー部３７と、について詳細に説明する。
図１４（ａ）は本発明に係るテープカセット収納ケースの収納部におけるバンパー部を説明する外観斜視図で、図１４（ｂ）は図１４（ａ）のＣ−Ｃ線断面図で、図１５（ａ）は本発明に係るテープカセット収納ケースの蓋部におけるバンパー部を説明する外観斜視図で、図１５（ｂ）は図１５（ａ）のＤ−Ｄ線断面図で、図１６は本発明に係るテープカセット収納ケースの緩衝部を説明する外観斜視図で、図１７は図１６のＱ−Ｑ断面図である。
【００４８】
図１４（ａ），（ｂ）に示すように、収納部１１のバンパー部３２には、角部３０，３１付近で、薄肉部４５の肉厚を他の薄肉部４５の部分の肉厚よりも厚くした厚肉部８１が設けられている。厚肉部８１は、その両側がテーパ面８２を介して薄肉部４５に連設されている。厚肉部８１を除いた他の薄肉部４５については、前述した構造となっており、その肉厚は、更に増加したときに向上する衝撃吸収性の観点だけでなく、成形性を観点も含めて、例えば０．８ｍｍとされることが合理的である。厚肉部８１は、テープカセット収納ケース１０が、収納部１１の角部３０，３１から落下する場合に衝撃エネルギーが大きくなるが、その際の衝撃を受けるので、バンパー部３２の破損や大きな押し潰れ等を防止しつつ衝撃を吸収して、収納されているテープカセットを保護することができる。
【００４９】
図１５（ａ），（ｂ）に示すように、蓋部１２のバンパー部３７には、角部５５３（他方の角部５２も同様）付近で、薄肉部４６の肉厚を他の薄肉部４６の部分の肉厚よりも厚くした厚肉部８３が設けられている。厚肉部８３は、その両側がテーパ面８４を介して薄肉部４６に連設されている。厚肉部８３を除いた他の薄肉部４６については、前述した構造となっており、その肉厚は、更に増加したときに向上する衝撃吸収性の観点だけでなく、成形性を観点も含めて、例えば０．８ｍｍとされることが合理的である。厚肉部８３は、テープカセット収納ケース１０が、蓋部１２の角部から落下する場合に衝撃エネルギーが大きくなるが、その際の衝撃を受けるので、バンパー部３７の破損や大きな押し潰れ等を防止しつつ衝撃を吸収して、収納されているテープカセットを保護することができる。
【００５０】
このようにすることにより、収納部１１及び蓋部１２の外周から外側へ突出して延設されているバンパー部３２，３７が衝撃エネルギーを吸収して、ケース１０に収納されているテープカセット６０を保護する。一方、テープカセット収納ケース１０が角部から落下する場合には衝撃エネルギーが大きくなるが、バンパー部３２，３７の角部に設けられ他のバンパー部３２，３７の厚みより大きい肉厚にされた厚肉部８１，８３が衝撃を受けるので、バンパー部３２，３７の破損や大きな押し潰れ等を防止しつつ衝撃を吸収して、収納されているテープカセットを保護することができる。
【００５１】
次に、図１６，図１７を参照して、蓋部１２のバンパー部３７の変形例について説明する。
【００５２】
図１６に示すように、この場合は、蓋部１２の角部５３（他方の角部５２も同様）に、片もち梁状に延出した緩衝部８５を設けている。緩衝部８５は、外壁２６，２７，２８の両角部５２，５３において２分割されており、正面側の外壁２６及び両脇側の外壁２７，２８に各々設けられている。緩衝部８５は、正面側の外壁２６及び両脇側の外壁２７，２８の最外面に植設された支持部８６と、支持部８６から外壁２６及び外壁２７，２８に略平行に突出された緩衝片８７と、を有している。なお、緩衝部８５は、支持部８６から角部５２，５３側へ向けて張り出して形成され、片持ち梁状態で中空支持されることで、クッション性が高められている。
【００５３】
図１７に図１４のＱ−Ｑ断面を示すように、緩衝部８５は、収納部１１のバンパー部３２および蓋部１２のバンパー部３７の外周縁よりも内側にある。即ち、収納部１１のバンパー部３２の突出量をＨ１、蓋部１２のバンパー部３７の突出量をＨ２とし、緩衝部８５の突出量をＨ３とすると、Ｈ１＞Ｈ２＞Ｈ３となっている。従って、緩衝部８５が作用するのは、収納部１１のバンパー部３２および蓋部１２のバンパー部３７が、より内側に変形した後である。
【００５４】
このようにすることにより、バンパー部３２，３７が衝撃を受けた場合に、片もち梁状に延出する緩衝部８５が、その衝撃エネルギーを緩衝するので、内部に収納されているテープカセット６０を保護することができる。
【００５５】
以上、前述したテープカセット収納ケース１０によれば、蓋部１２が収納部１１に閉じられることにより、蓋部１２の外壁２６に形成された係合突部２９，２９が収納部１１の周壁１６に形成された第１係合部２５，２５に係止され、さらにサイドロック部１４の第２係止部３５が蓋部１２の外壁２６に形成された第２係合部３４に係止されたダブルロック状態において、使用者が誤って床５１等の相手部材に落下させてしまった場合に、収納部１１側のバンパー部３２が、蓋部１２側のバンパー部３７よりも先に相手部材に衝突して衝撃を受けることにより、収納部１１の周壁１６が、外壁２６の第１係合部２５，２５から係合突部２９，２９を外すように傾動される。これにより、使用者が誤って落下させてしまったとしても、収納部１１側のバンパー部３２がその際の衝撃エネルギーを受けて、第１係合部２５，２５を係合突部２９，２９から外すことにより、衝撃エネルギーをテープカセット６０に直接与えないようにし、テープカセット６０を確実に保護することができる。
【００５６】
また、テープカセット収納ケース１０によれば、収納部１１側のバンパー部３２が、蓋部１２側のバンパー部３７よりも肉薄に形成されているために、蓋部１２が収納部１１に閉じられて、蓋部１２の第１係合部２５，２５が収納部１１の係合突部２９，２９に係止され、さらにサイドロック部１４の第２係止部３５が蓋部１２の第２係合部３４に係止されたダブルロック状態において、使用者が誤って床５１等の相手部材に落下させてしまった場合に、相手部材に衝突した際の衝撃エネルギーを吸収して変形する。それにより、衝撃エネルギーをテープカセット６０に直接与えないようにしてテープカセット６０を保護することができる。
【００５７】
また、テープカセット収納ケース１０によれば、蓋部１２が収納部１１に閉じられて、収納部１１の第１係合部２５，２５が蓋部１２の係合突部２９，２９に係止され、さらにサイドロック部１４の第２係止部３５が蓋部１２の第２係合部３４に係止されたダブルロック状態において、使用者が誤って床５１等の相手部材に落下させてしまった場合に、収納部１１および蓋部１２の外周から外側へ突出して延設されているバンパー部３２，３７が衝撃エネルギーを吸収して、ケース１０に収納されているテープカセット６０を保護する。一方、テープカセット収納ケース１０が角部から落下する場合には衝撃エネルギーが大きくなるが、バンパー部３２，３７の角部に設けられ他のバンパー部３２，３７の厚みより大きい肉厚にされた厚肉部８１，８３が衝撃を受けるので、バンパー部３２，３７の破損や大きな押し潰れ等を防止しつつ衝撃を吸収して、収納されているテープカセット６０を保護することができる。
【００５８】
なお、本発明のテープカセット収納ケース１０は、前述した実施形態に限定されるものではなく、適宜、変形、改良等が可能である。
例えば、収納部側のバンパー部の突出量および蓋部側のバンパー部の突出量については、限定されることはなく、取り扱いの容易性を考慮して、できるだけ小さくするのが良い。勿論、その場合にも、収納部側のバンパー部が蓋部側のバンパー部よりも大きい突出量を有する。
【００５９】
また、収納部側のバンパー部の板厚および蓋部側のバンパー部の板厚については、限定されることはないが、全体的な重量増加を考慮して、できるだけ薄くするのが良い。
【００６０】
また、落下時における収納部側のバンパー部の変形を促進するために、収納部側のバンパー部の長さ方向に、柱部を介して、丸孔形状や四角形状のスリットを連続的に設けても良い。
【図面の簡単な説明】
【００６１】
【図１】本発明に係るテープカセット収納ケースの一実施形態を示す開蓋状態の外観斜視図である。
【図２】図１に示したテープカセット収納ケースの平面図である。
【図３】図１に示すテープカセット収納ケースの閉蓋状態における角部近傍（第１係止部と係合突部を含む）の断面図である。
【図４】テープカセット収納ケースを床に落下させてしまった場合の様子を強調して示した説明図である。
【図５】落下したテープカセット収納ケースの着地側角部の拡大図である。
【図６】図２のＡ−Ａ断面図である。
【図７】図２のＢ−Ｂ断面図である。
【図８】テープカセット収納ケースの第２実施形態における角部近傍の断面図である。
【図９】テープカセット収納ケースの第３実施形態における角部近傍の断面図である。
【図１０】テープカセット収納ケースの第１変形例における閉蓋状態の角部近傍（第１係止部と係合突部を含む）の断面図（ａ）と、落下したテープカセット収納ケースの着地側角部の断面図（ｂ）である。
【図１１】テープカセット収納ケースの第２変形例における閉蓋状態の角部近傍（第１係止部と係合突部を含む）の断面図である。
【図１２】テープカセット収納ケースの第４実施形態における角部近傍の断面図（ａ）とそのＰ部拡大図（ｂ）である。
【図１３】図１２に示すテープカセット収納ケースの衝撃吸収の動作を時系列で（ａ）、（ｂ）、（ｃ）で表す説明図である。
【図１４】収納部側のバンパー部を示す一部拡大斜視図（ａ）とＣ−Ｃ断面図（ｂ）である。
【図１５】蓋部側のバンパー部を示す一部拡大斜視図（ａ）とＤ−Ｄ断面図（ｂ）である
【図１６】バンパーの変形例を示す一部拡大斜視図である。
【図１７】図１６のＱ−Ｑ断面図である。
【図１８】従来のテープカセット収納ケースの閉蓋状態を示す外観斜視図である。
【図１９】図１８のテープカセット収納ケースにおけるサイドロック部分の縦断面図である。
【符号の説明】
【００６２】
１０  テープカセット収納ケース
１１  収納部
１２  蓋部
１３  連結板
１４  サイドロック部
１６，１７，１８，１９  周壁
２５  第１係合部
２６，２７，２８  外壁
２９  第１係止部
３２  収納部側のバンパー部
３４  第２係合部
３５  第２係止部
３７  蓋部側のバンパー部
６０  テープカセット
【図１】
2006016016.tif 000003
【図２】
2006016016.tif 000004
【図３】
2006016016.tif 000005
【図４】
2006016016.tif 000006
【図５】
2006016016.tif 000007
【図６】
2006016016.tif 000008
【図７】
2006016016.tif 000009
【図８】
2006016016.tif 000010
【図９】
2006016016.tif 000011
【図１０】
2006016016.tif 000012
【図１１】
2006016016.tif 000013
【図１２】
2006016016.tif 000014
【図１３】
2006016016.tif 000015
【図１４】
2006016016.tif 000016
【図１５】
2006016016.tif 000017
【図１６】
2006016016.tif 000018
【図１７】
2006016016.tif 000019
【図１８】
2006016016.tif 000020
【図１９】
2006016016.tif 000021